(57)【要約】  第１の部品に取り付けられた、その中に流れポートを有する、穿孔部材を含む、コネクタアセンブリであって、穿孔部材が第２の部品内部に摺動式に受け入れ可能であって、穿孔部材および第２の部品が、第２の部品が流れポートを閉止する第１の位置と、流れポートが開口している第２の位置の間を互いに移動可能である、コネクタアセンブリ。第１の部品が、デバイスに接続されると、それとロック係合して、第１の部品とデバイスとのその後の分離を防止する、ロック機構を包含する。第１の部品がデバイスに最初に接続されると、第２の部品が、第１の位置から第２の位置へと移動される。
2019502483.tif 000002
【特許請求の範囲】
【請求項１】
第１の部品と、
前記第１の部品に取り付けられた穿孔部材と
前記穿孔部材を、スライド自在にその中に受け入れ可能な、第２の部品と
を備えるコネクタであって、
前記穿孔部材および前記第２の部品が、前記第２の部品が流れポートを閉止する第１の位置と、前記流れポートが開口している第２の位置の間で相互に移動可能であり、
前記第１の部品が、デバイスと係合されるときに、前記第１の部品を前記デバイスにロック接続し、それによって前記第１の部品と前記デバイスのその後の分離を防止するように適合された、ロック機構をさらに含むことを特徴とするコネクタ。
【請求項２】
請求項１に記載のコネクタであって、前記第１の部品と前記デバイスとが前記のように係合されると、前記第２の部品が、前記第１の位置から前記第２の位置へと移動されることを特徴とするコネクタ。
【請求項３】
請求項１または２に記載のコネクタであって、前記ロック機構が、前記第１の部品上に内向きリップを備えることを特徴とするコネクタ。
【請求項４】
請求項３に記載のコネクタであって、前記内向きリップは、前記デバイス上の外向きリップが前記内向きリップをスライドして過ぎた後に、前記外向きリップと係合するように適合されていることを特徴とするコネクタ。
【請求項５】
請求項４に記載のコネクタであって、前記第１の部品が内表面を備えるとともに、前記第２の部品が止め面を備え、前記止め面は、一旦、前記内向きリップが前記外向きリップと係合すると、前記内表面と接触して、前記穿孔部材が前記デバイスに対してさらに軸方向移動するのを止めることを特徴とするコネクタ。
【請求項６】
請求項１から５のいずれか１項に記載のコネクタであって、前記コネクタが、分注ヘッドの内部に部分的に封入されていることを特徴とするコネクタ。
【請求項７】
請求項６に記載のコネクタであって、前記分注ヘッドが、一方向バルブと、手動係合可能なアクチュエータとを含むことを特徴とするコネクタ。
【請求項８】
請求項１から７のいずれか１項に記載のコネクタであって、前記コネクタが搾り出しチューブに取り付け可能であることを特徴とするコネクタ。
【請求項９】
請求項１から８のいずれか１項に記載のコネクタであって、第２の部品上に脱着可能なシールをさらに備えることを特徴とするコネクタ。
【請求項１０】
請求項１から９のいずれか１項に記載のコネクタであって、前記ロック機構がロック解除できないことを特徴とするコネクタ。
【請求項１１】
第１の部品と、
前記第１の部品に取り付けられ、流れポートを有する、穿孔部材と、
第２の部品と
を備える、コネクタアセンブリであって、
前記穿孔部材が、前記第２の部品内部にスライド自在に受け入れ可能であり、
前記穿孔部材および前記第２の部品が、前記第２の部品が前記流れポートを閉止する第１の位置と、前記流れポートが開口している第２の位置との間で相互に移動可能であり、
前記第１の部品が、デバイスに接続されると、それとロック係合して、前記第１の部品と前記デバイスとのその後の分離を防止する、ロック機構を含むことを特徴とするコネクタアセンブリ。
【請求項１２】
請求項１１に記載のコネクタアセンブリであって、前記第１の部品の前記デバイスへの初期接続の際、前記第２の部品が、前記第１の位置から前記第２の位置へと移動されることを特徴とするコネクタアセンブリ。
【請求項１３】
請求項１１または１２に記載のコネクタアセンブリであって、前記ロック機構が、前記第１の部品上の内向きリップを備えることを特徴とするコネクタアセンブリ。
【請求項１４】
請求項１３に記載のコネクタアセンブリであって、前記内向きリップが、デバイス上の外向きリップが前記内向きリップをスライドして過ぎた後に、前記外向きリップと係合するように適合されていることを特徴とするコネクタアセンブリ。
【請求項１５】
請求項１４に記載のコネクタアセンブリであって、前記第１の部品が内表面を備えるとともに、前記第２の部品が止め面を備え、前記止め面は、一旦、前記内向きリップが前記外向きリップと係合すると、前記内表面と接触して、前記穿孔部材が前記デバイスに対してさらに軸方向移動するのを止めることを特徴とするコネクタアセンブリ。
【請求項１６】
請求項１１から１５のいずれか１項に記載のコネクタアセンブリであって、前記コネクタが、分注ヘッドの内部に部分的に封入されていることを特徴とするコネクタアセンブリ。
【請求項１７】
請求項１６に記載のコネクタアセンブリであって、前記分注ヘッドが、一方向バルブと、手動係合可能なアクチュエータとを含むことを特徴とするコネクタアセンブリ。
【請求項１８】
請求項１１から１７のいずれか１項に記載のコネクタアセンブリであって、前記分注ヘッドが、搾り出しチューブに取り付け可能であることを特徴とするコネクタアセンブリ。
【請求項１９】
請求項１１から１８のいずれか１項に記載のコネクタアセンブリであって、前記第２の部品上に脱着可能なシールをさらに備えることを特徴とするコネクタアセンブリ。
【請求項２０】
請求項１１から１９のいずれか１項に記載のコネクタアセンブリであって、前記ロック機構がロック解除できないことを特徴とするコネクタアセンブリ。
【請求項２１】
貫通可能な隔膜が圧縮されていない、（ｉ）第１の位置と、貫通可能な隔膜が圧縮されている、（ｉｉ）第２の位置との間で移動可能な貫通可能な隔膜と、
第１の部品に取り付けられ、第２の部品内部にスライド自在に受け入れ可能な、穿孔部材を含む、使い捨てコネクタアセンブリと
を含む、デバイスであって、
前記穿孔部材および前記貫通可能な隔膜の少なくとも一方が、前記コネクタの使用前および使用中にロック解除された位置において、前記穿孔部材および前記貫通可能な隔膜の他方に対して軸方向に移動可能であり、前記穿孔部材および前記貫通可能な隔膜の前記少なくとも一方が、ロック位置において、前記穿孔部材および前記貫通可能な隔膜の他方に対して、それ以上軸方向に移動可能ではないことを特徴とするデバイス。
【請求項２２】
コネクタアセンブリの穿孔部材を、貫通可能な隔膜内へ挿入するステップであって、前記コネクタアセンブリは、前記穿孔部材に取り付けられた第１の部品と、前記穿孔部材を、その内部にスライド自在に受け入れ可能な、第２の部品とをさらに含む、ステップと、
前記コネクタアセンブリの前記穿孔部材を前記貫通可能な隔膜内にロックするステップと
を含むことを特徴とする方法。
【請求項２３】
請求項２２に記載の方法であって、ロックするステップが、前記穿孔部材および前記貫通可能な隔膜の相対位置を、いずれもが、他方に対して軸方向に移動不能であるように固定するステップを含むことを特徴とする方法。
【請求項２４】
請求項２２または２３に記載の方法であって、ロックが恒久的であることを特徴とする方法。
【発明の詳細な説明】
【技術分野】
【０００１】
本発明は、コンテナもしくはその他のデバイス（対向するデバイスまたはその他のデバイス）から、および／またはその中に、流体もしくはその他のタイプの物質を注入するか、または別の方法で移送するのに使用する、コネクタアセンブリに関する。特に、本発明は、コネクタアセンブリ内部の穿孔部材の汚染を防ぎ（または別の方法で低減し）、ならびに／またはアセンブリおよびその穿孔部材の再使用を防ぐ（または別の方法で低減する）、使い捨ての（またはその他の）コネクタの（またはその他の）アセンブリに関する。
【背景技術】
【０００２】
関連特許出願の相互参照
本特許出願は、米国特許法第１１９条（３５  Ｕ．Ｓ．Ｃ．  §  １１９）の下で、本開示の一部としてその全文を本願に引用して援用する２０１６年１月１９日付け出願の「Ｓｉｎｇｌｅ  Ｕｓｅ  Ｃｏｎｎｅｃｔｏｒｓ」という名称の米国特許仮出願第６２／２８０６９３号の利益を主張するものである。
【０００３】
典型的な従来技術コネクタアセンブリ穿孔部材は、対向するデバイスから、またはその中に、物質を移送させるために、鋭利な尖端を有する。従来技術穿孔部材の欠点の１つは、ユーザが、コネクタアセンブリ内にある露出された穿孔部材で、誤って自分自身を刺す可能性があることである。第一段階の懸念は、誤って穿孔部材で刺すことに伴う痛みおよび潜在的な身体的外傷に関する。
【０００４】
コネクタアセンブリの穿孔部材が先に使用されていた場合には、第２のさらに危険な状況が発生する。例えば、コネクタアセンブリがすでに使用されており、細菌または汚染物質によって汚染されている場合には、細菌または汚染物質は、その後に、コネクタアセンブリ内にある同じ穿孔部材で刺された、次の対向するデバイスに伝播されることがある。一旦、元のパッケージから取り出されると、従来技術コネクタアセンブリが使用済であるか、または未使用であるかを確実に判定することは、非常に困難であることが多い。
【発明の概要】
【発明が解決しようとする課題】
【０００５】
本発明の少なくともいくつかの実施形態の目的は、従来技術の上述の欠点および／または短所の１つ以上を克服することである。
【課題を解決するための手段】
【０００６】
第１の態様によれば、本発明は、第１の部品と、第１の部品に取り付けられた穿孔部材と、穿孔部材を、スライド自在にその中に受け入れ可能な、第２の部品とを備える、コネクタであって、穿孔部材および第２の部品が、第２の部品が流れポートを閉止する第１の位置と、前記流れポートが開口している第２の位置との間で相互に移動可能であり、第１の部品は、デバイスと係合されるときに、第１の部品をそのデバイスにロック接続し、それによって第１の部品とデバイスとのその後の分離を防止するように適合された、ロック機構をさらに含む、コネクタを対象とする。
【０００７】
実施形態によっては、第１の部品とデバイスとが前記のように係合されると、第２の部品は、第１の位置から第２の位置へと移動される。
【０００８】
実施形態によっては、ロック機構は、第１の部品上に内向きリップを備える。
【０００９】
実施形態によっては、内向きリップは、デバイス上の外向きリップが内向きリップをスライドして過ぎた後に、外向きリップと係合するように適合されている。
【００１０】
実施形態によっては、第１の部品は、内表面を備えるとともに、第２の部品が止め面を備え、止め面は、内向きリップが外向きリップと一旦、係合すると、内表面と接触して、穿孔部材が、デバイスに対してさらに軸方向移動するのを止める。
【００１１】
実施形態によっては、コネクタは、分注ヘッドの内部に部分的に封入されている。
【００１２】
実施形態によっては、分注ヘッドは、一方向バルブと、手動係合可能なアクチュエータとを含む。
【００１３】
実施形態によっては、分注ヘッドは、搾り出しチューブに取り付け可能である。
【００１４】
実施形態によっては、コネクタは、第２の部品上に脱着可能シールをさらに備える。
【００１５】
実施形態によっては、ロック機構は、ロック解除できない。
【００１６】
別の態様によれば、本発明は、第１の部品と、第１の部品に取り付けられ、流れポートを有する穿孔部材と、第２の部品とを備えるコネクタアセンブリであって、穿孔部品は、第２の部品の内部にスライド自在に受け入れ可能であり、穿孔部材および第２の部品は、第２の部品が流れポートを閉止する第１の位置と、流れポートが開口している第２の位置との間で相互に移動可能であり、第１の部品は、デバイスに接続されると、それとロック係合して、第１の部品とデバイスとのその後の分離を防止する、ロック機構を含む、コネクタアセンブリを対象としている。
【００１７】
実施形態によっては、第１の部品のデバイスへの初期接続の際、第２の部品が、第１の位置から第２の位置へと移動される。
【００１８】
実施形態によっては、ロック機構は、第１の部品上に内向きリップを備える。
【００１９】
実施形態によっては、内向きリップは、デバイス上の外向きリップが内向きリップをスライドして過ぎた後に、外向きリップと係合するように適合されている。
【００２０】
実施形態によっては、第１の部品が内表面を備えるとともに、第２の部品が止め面を備え、止め面は、一旦、内向きリップが外向きリップと係合すると、内表面と接触して、穿孔部材がデバイスに対してさらに軸方向移動するのを止める。
【００２１】
実施形態によっては、コネクタアセンブリは、分注ヘッドの内部に部分的に封入されている。
【００２２】
実施形態によっては、分注ヘッドは、一方向バルブと、手動係合可能なアクチュエータとを含む。
【００２３】
実施形態によっては、分注ヘッドは、搾り出しチューブに取り付け可能である。
【００２４】
実施形態によっては、コネクタアセンブリは、第２の部品上に脱着可能なシールをさらに備える。
【００２５】
実施形態によっては、ロック機構は、ロック解除できない。
【００２６】
別の態様によれば、本発明は、貫通可能な隔膜が圧縮されていない、（ｉ）第１の位置と、貫通可能な隔膜が圧縮されている、（ｉｉ）第２の位置の間で移動可能な、貫通可能な隔膜と、第１の部品に取り付けられて、第２の部品内部にスライド自在に受け入れ可能な、穿孔部材を含む、使い捨てコネクタアセンブリとを含む、デバイスであって、穿孔部材および貫通可能な隔膜の少なくとも一方が、前記コネクタの使用前および使用中にロック解除された位置において、穿孔部材および貫通可能な隔膜の他方に対して軸方向に移動可能であり、穿孔部材および貫通可能な隔膜の少なくとも一方が、ロック位置において、穿孔部材および貫通可能な隔膜の他方に対して、軸方向に移動可能ではない、デバイスを対象とする。
【００２７】
実施形態によっては、第１の部品とデバイスとが前記のように係合されると、第２の部品は、第１の位置から第２の位置へと移動される。
【００２８】
実施形態によっては、コネクタアセンブリは、分注ヘッドの内部に部分的に封入されている。
【００２９】
実施形態によっては、分注ヘッドは、一方向バルブと、手動係合可能なアクチュエータとを含む。
【００３０】
実施形態によっては、分注ヘッドは、搾り出しチューブに取り付け可能である。
【００３１】
実施形態によっては、コネクタアセンブリは、第１の部品上に脱着可能なシールをさらに備える。
【００３２】
別の態様によれば、本発明は、コネクタアセンブリの穿孔部材を、貫通可能な隔膜内へ挿入するステップであって、コネクタアセンブリは、穿孔部材に取り付けられた第１の部品と、穿孔部材を、その内部にスライド自在に受け入れ可能な、第２の部品とをさらに含む、ステップと、コネクタアセンブリの穿孔部材を貫通可能な隔膜内にロックするステップとを含む、方法を対象とする。
【００３３】
実施形態によっては、ロックするステップが、前記穿孔部材および前記貫通可能な隔膜の相対位置を、いずれもが、他方に対して軸方向に移動不能になるように、固定するステップを含む。
【００３４】
実施形態によっては、ロックは恒久的である。
【００３５】
その他の目的、特徴および／または利点は、実施形態の以下の詳細な説明と、添付の図面を見れば明白になるであろう。
【００３６】
しかしながら、様々な目的、特徴および／または長所が、この発明の概要において記述され、かつ／または以下の詳細な説明と添付の図面を見れば、より簡単に明白になるが、そのような目的、特徴および／または長所は、すべての態様および実施形態において要求されるものではないことを理解すべきである。
【００３７】
この発明の概要は、本願の態様および実施形態の範囲を網羅するものではない。したがって、ある種の態様および実施形態が、この発明の概要において提示および／または概説されているが、本願の態様および実施形態は、この発明の概要に提示された態様および実施形態に限定はされないことを理解すべきである。実際に、この発明の概要に提示された態様および実施形態と類似の、および／またはそれと異なる、その他の態様および実施形態が、以下の説明、図解および／または特許請求の範囲から明白になるであろう。
【００３８】
この発明の概要に記載されており、後続の特許請求の範囲には示されていない、任意の態様および実施形態は、本願における後の提示、または１つ以上の継続特許出願のために保存されることを理解されたい。
【００３９】
この発明の概要に記載されず、かつ以下の特許請求の範囲に示されない、態様および実施形態も、後の提示または１つ以上の継続特許出願のために保存されることも理解されたい。
【図面の簡単な説明】
【００４０】
【図１Ａ】第１の部品に取り付けられた穿孔部材と、第２の部品とを含む、本発明を具現化する、使い捨てコネクタアセンブリの斜視図である。
【図１Ｂ】図１Ａのコネクタアセンブリの斜視断面図である。
【図１Ｃ】第１の部品の穿孔部材が第２の部品の摩擦嵌合スリーブに挿入されている、図１Ａのコネクタアセンブリの斜視図である。
【図２Ａ】コンテナのチャンバの開口への取り付け前の、図１のコネクタアセンブリの斜視図である。
【図２Ｂ】図２Ａのコネクタアセンブリと、コンテナのチャンバの開口との斜視断面図である。
【図２Ｃ】図２Ａの開口と接触するときの、コネクタアセンブリの斜視断面図である。
【図２Ｄ】穿孔部材によって貫通される前に、コンテナに対してさらに押し込まれた、図２Ａのコネクタアセンブリの斜視断面図である。
【図２Ｅ】穿孔部材が、チャンバの開口に位置する貫通可能な隔膜を貫通している、図２Ａのコネクタアセンブリの斜視断面図である。
【図２Ｆ】チャンバから、またはチャンバ中への物質流を可能にするように穿孔部材のポートが露出されているときの、図２Ａのコネクタアセンブリの斜視断面図である。
【図３Ａ】コネクタアセンブリの第２の部品の位置調整カップの開口をシールする脱着可能シールを示す、コネクタアセンブリの別の実施形態の斜視図である。
【図３Ｂ】脱着可能シールが剥がされているのを示す、図３Ａのコネクタアセンブリ斜視図である。
【図４Ａ】導管の両端に取り付けられたコネクタアセンブリの斜視断面図である。
【図４Ｂ】導管の両端に取り付けられたコネクタアセンブリの斜視断面図である。
【図５Ａ】導管の一端に取り付けられた、コネクタアセンブリの斜視断面図である。
【図５Ｂ】導管の一端に取り付けられた、コネクタアセンブリの対応する斜視断面図である。
【図５Ｃ】導管の一端に取り付けられた、コネクタアセンブリの斜視断面図である。
【図５Ｄ】導管の一端に取り付けられた、コネクタアセンブリの対応する斜視断面図である。
【図６Ａ】導管の一端に取り付けられたコネクタアセンブリの斜視図である。
【図６Ｂ】導管の一端に取り付けられたコネクタアセンブリの対応する斜視断面図である。
【図６Ｃ】導管の一端に取り付けられたコネクタアセンブリの斜視部分断面図である。
【図６Ｄ】導管の一端に取り付けられたコネクタアセンブリの斜視部分断面図である。
【図７Ａ】導管に取り付けられたコネクタアセンブリと、導管が取り付けられるポーチ（ｐｏｕｃｈ）の斜視図である。
【図７Ｂ】図７Ａに示す、コネクタアセンブリと導管の斜視断面図である。
【図８Ａ】チューブに取り付けられる分注ヘッドの部分を形成する、コネクタアセンブリの斜視図である。
【図８Ｂ】図８Ａの実施形態の斜視断面図である。
【図９Ａ】チューブに取り付けられる分注ヘッドの実施形態の斜視図である。
【図９Ｂ】シールされたチューブの斜視図である。
【図９Ｃ】シールされたコネクタアセンブリとシールされたチューブを収納する輸送キットを示す斜視図である。
【図１０Ａ】シールが剥がされている、図９Ａの分注ヘッドの実施形態の斜視図である。
【図１０Ｂ】シールが剥がされている、図９Ｂのチューブの斜視図である。
【図１０Ｃ】図１０Ｂのチューブに取り付けられた、図１０Ａの分注ヘッドを示す斜視図である。
【図１１】チューブに取り付けられる分注ヘッドの３つの代替的実施形態の斜視図である。
【図１２Ａ】チューブに取り付けられた図１１の分注ヘッドの実施形態の斜視図である。
【図１２Ｂ】チューブに取り付けられた図１１の分注ヘッドの実施形態の斜視図である。
【図１２Ｃ】チューブに取り付けられた図１１の分注ヘッドの実施形態の斜視図である。
【図１３】代替コネクタが導管の他端に取り付けられた状態で、導管の一端に取り付けられたコネクタアセンブリの斜視図である。
【図１４Ａ】コネクタアセンブリと、それが接続するチューブの追加の斜視図である。
【図１４Ｂ】空で示されている、チューブの斜視断面図である。
【図１４Ｃ】コネクタアセンブリと、それが接続するチューブの追加の斜視図である。
【図１４Ｄ】コネクタアセンブリと、それが接続するチューブの追加の斜視図である。
【図１４Ｅ】コネクタアセンブリと、それが接続するチューブの追加の斜視図である。
【発明を実施するための形態】
【００４１】
図１Ａにおいて、デバイスが、参照数字１０によって全体を通して指示されている。例証的実施形態において、デバイス１０は、使い捨てコネクタアセンブリである。しかしながら、当業者によれば、本明細書の教示に基づいて認識されるように、本発明は、例えば、カニューレやプローブアセンブリなどの、コネクタアセンブリ以外のデバイスに具現化してもよく、また別の方法で、それらに応用可能である。
【００４２】
図１Ａ〜１Ｃに示すように、コネクタアセンブリ１０は、第１の部品１４、第２の部品１２、第１の部品１４内の中心に置かれて、封入されている、穿孔部材２２を含む。例証的実施形態においては、コネクタアセンブリ１０は、コンテナのチャンバから、またはその中に、物質を加えるのに使用される。しかしながら、当業者によれば、本明細書における教示に基づいて認識されるように、コネクタアセンブリは、例えば、コンテナに物質を充填すること、対向するデバイスから、またはその中に、物質を分注すること、および液体伝達の任意の形態のような、現在知られている、または後に知られるようになる、多数の応用のいずれに使用してもよい。当業者によれば、本明細書における教示に基づいてやはり、認識されるように、コネクタアセンブリは、本明細書に記載するようなコンテナの機能を実施することのできる、現在知られている、または後に知られるようになる、多数のデバイスのいずれにも取り付け可能である。
【００４３】
第１の部品１４は、中心に置かれた（またはそうではない）開口２５をその中に含む、チューブ状端２４、シェル２０、およびチューブ状端２４の反対側の端にある、幅の広い（またはそうではない）開口５４を含む。チューブ状端２４は、導管、またはそれに取り付けられたチャンバ（図示せず）と流体連通していてもよい。図１Ｂにより分かり易く示されるように、第１の部品１４は、穿孔部材２２をさらに含む。穿孔部材２２は、尖端３０がシャフトの分注端に形成された、中空シャフト２８と、シャフトの尖端３０から変位させられて、中空シャフト２８の内部と流体連通している、２つ以上のポート４４とを含む。例証的実施形態において、穿孔部材尖端３０は、ノンコアリング（ｎｏｎ−ｃｏｒｉｎｇ）な、円錐形に尖らせた尖端によって画定されているが、当業者によれば、本明細書の教示に基づいて認識されるように、尖端は、例えば、トロカール尖端（ｔｒｏｃａｒ  ｔｉｐ）のような、現在知られている、または後に知られることになる、多数のその他の尖端形態のいずれを画定してもよい。加えて、尖端は、金属、または例えば、グラフェン製またはベクトラ（Ｖｅｃｔｒａ）製の尖端のような、プラスチックであってもよい。穿孔部材は、金属、グラフェンまたはベクトラのようなプラスチック、または生体適合性ポリマーのような、フレキシブルポリマー製であってもよい。例証的実施形態においては、２つのポート４４は、互いと対極にあるが、当業者によれば、本明細書における教示に基づいて認識されるように、穿孔部材は、多数の異なる構成および場所のいずれをも画定することのできる、任意の数のポート（すなわち、１つ以上のポート）を画定してもよい。例証的実施形態において、穿孔部材２２は、第１の部品１４と一体に成型されているが、当業者によれば、本明細書における教示に基づいて認識されるように、穿孔部材は、現在知られている、または後に知られることになる多数のその他の構成のいずれかにおいて、第１の部品に固定的に取り付けてもよい。例示的な穿孔部材は、本開示の一部としてその全文を特に引用して援用する、２０１２年４月１８日付け出願の類似の名称の米国特許仮出願第６１／６３５２５８号と、２０１２年４月１７日付け出願の類似の名称の米国特許仮出願第６１／６２５６６３号の優先権を主張する、「Ｓｅｌｆ  Ｃｌｏｓｉｎｇ  Ｃｏｎｎｅｃｔｏｒ」という名称の同時係属中の米国特許仮出願第１３／８６４９１９号に開示されている。
【００４４】
第２の部品１２は、その中に形成されて、位置調整カップ６６に取り付けられて、それと流体連通する、中心に置かれた（または別様の）開口６５を備えた摩擦式の（または別様の）嵌合スリーブ６４と、第１の部品１４の幅広い開口５４内部の平行な（または別様の）内表面６０と位置調整して、接触するように構成された、止め面５８とを含む。摩擦（または別様の）嵌合スリーブ６４内部に形成された開口は、摩擦で（または別法で）穿孔部材２２の遠位端を受け入れて、穿孔部材尖端３０を位置調整および誘導し、かつ／またはその撓みを防止する。摩擦嵌合スリーブ６４は、コネクタアセンブリの使用の前に、穿孔部材（の少なくとも一部分）を保護して、穿孔部材のポート４４を閉止するようにさらに動作する。実施形態によっては、摩擦嵌合スリーブ６４は、比較的に柔軟な材料で形成することができる。幅広い側で第１の部品１４の幅広い開口５４の内側開口の縁は、コネクタアセンブリ１０をそれに取り付けることのできる、コンテナ（またはその他のデバイス）に対して下記でさらに後述する、（少なくとも部分的に）環状の（または別様の）スナップリップ（ｓｎａｐｐｉｎｇ  ｌｉｐ）６８を画定する。
【００４５】
図２Ａ〜２Ｂは、コネクタアセンブリ１０と、コネクタアセンブリ１０をそれに取り付けることのできる、コンテナ（またはその他のデバイス）９４とを示す。例証的実施形態においては、コンテナ９４は、開口を有するチャンバ４０を含む。図２Ｂに示すように、コンテナのチャンバ４０の開口は、チャンバ４０と流体連通して、それをシールする、貫通可能な隔膜またはストッパ３８を備える。例証的実施形態において、貫通可能な隔膜３８の近位端は、チャンバ４０の開口の遠位端のまわりに摩擦で嵌まる。
【００４６】
図１Ａ〜１Ｃを再び参照すると、図１Ｂに最も分かり易く示すように、（第１の部品１４によって画定されている）環状のスナップリップ６８は、第１の部品１４の穿孔部材尖端３０側の内向きリップを画定し、この内向きリップは、コンテナ９４のチャンバ４０の開口に位置する対応する（少なくとも部分的に）環状の（または別様の）ロックリム７０（図２Ａ）が、その中にスライドするか、または別法で第１の部品１４の中にスライドして入ることを可能にし、このとき、環状のスナップリップ６８は、穿孔部材２２が、貫通可能な隔膜３８の遠位端からその近位端に向かう方向にスライドするときに、（図２Ｆに示すように）環状のロックリム７０の上にスナップ嵌めし、その後に、穿孔部材２２が反対方向にスライドして戻るのを防止する。少なくともいくつかの実施形態においては、（少なくとも部分的に）環状の（または別様の）ロックリム７０は外向きリップを画定し、この外向きリップは、内向きリップを過ぎてスライドした後に、内向きリップと係合する。さらに、一旦、環状のスナップリップ６８が、（図２Ｆで示すように）環状のロックリム７０の上にスナップ嵌めすると、第２の部品１２の止め面５８は、第１の部品１４の幅広い開口５４内部の平行な内表面６０と接触して、穿孔部材２２が、隔膜３８の遠位端からその近位端に向かう方向に、さらに軸方向移動するのを停止させる。結果的に、一旦、環状のスナップリップ６８が、環状のロックリム７０上にスナップ嵌めすると、穿孔部材は、隔膜３８内部にロックされる。
【００４７】
例証的実施形態において、隔膜３８は、円筒部分の上方に実質的にドーム形の部分を備えるとともに、弾力性があり、かつ／またはゴム状の（ｅｌａｓｔｏｍｅｒｉｃ）材料で形成されている。ほぼドーム形の部分および／または（弾力があり、かつ／またはゴム状の）材質によって、隔膜３８が、図２Ｄに示すように、（第２の部分が隔膜３８と接触する前の）ドーム形部分が圧縮されていない、第１の位置と、図２Ｅに示すように、（第２の部分１２が、隔膜３８と接触した後の）ドーム形の部分が圧縮されており、後に穿孔部材によって穿孔される、第２の位置の間で移動することを可能になる。当業者によれば、本明細書における教示に基づいて認識されるように、貫通可能な隔膜は、例えば、ベローズ（ｂｅｌｌｏｗｓ）構成のような、本明細書に記載したような、貫通可能な隔膜の機能を実行することのできる、現在知られている、または後に知られることになる、多数の構成のいずれかに構成してもよい。例示的な貫通可能な隔膜は、本開示の一部として、特に引用して援用する以下の特許および特許出願に開示されている：米国特許第５６４１００４号として発行された、１９９５年４月１９日付け出願の「Ｐｒｏｃｅｓｓ  ｆｏｒ  Ｆｉｌｌｉｎｇ  ａ  Ｓｅａｌｅｄ  Ｒｅｃｅｐｔａｃｌｅ  ｕｎｄｅｒ  Ａｓｅｐｔｉｃ  Ｃｏｎｄｉｔｉｏｎｓ」という名称の米国特許仮出願第０８／４２４９３２号、２０００年２月１１日付け出願の「Ｈｅａｔ−Ｓｅａｌａｂｌｅ  Ｃａｐ  ｆｏｒ  Ｍｅｄｉｃａｍｅｎｔ  Ｖｉａｌ」という名称の米国特許仮出願第６０／１８２１３９号の優先権を主張する、米国特許第６６０４５６１号として発行された、２００１年２月１２日付け出願の「Ｍｅｄｉｃａｍｅｎｔ  Ｖｉａｌ  Ｈａｖｉｎｇ  ａ  Ｈｅａｔ−Ｓｅａｌａｂｌｅ  Ｃａｐ，  ａｎｄ  Ａｐｐａｒａｔｕｓ  ａｎｄ  Ｍｅｔｈｏｄ  ｆｏｒ  Ｆｉｌｌｉｎｇ  Ｖｉａｌ」という名称の米国特許仮出願第０９／７８１８４６号、２００２年９月３日付け出願の類似の名称の米国特許仮出願第６０／４０８０６８号の優先権を主張する、米国特許第７１００６４６号として発行された、２００３年９月３日付け出願の「Ｓｅａｌｅｄ  Ｃｏｎｔａｉｎｅｒｓ  ａｎｄ  Ｍｅｔｈｏｄｓ  ｏｆ  Ｍａｋｉｎｇ  ａｎｄ  Ｆｉｌｌｉｎｇ  Ｓａｍｅ」という名称の米国特許仮出願第１０／６５５４５５号、ならびに、２００３年１月２８日付け出願の類似の名称の米国特許仮出願第６０／４４３５２６号、および２００３年６月３０日付け出願の類似の名称の米国特許仮出願第６０／４８４２０４号の優先権を主張する、米国特許第７０３２６３１号として発行された、２００４年１月２８日付け出願の「Ｍｅｄｉｃａｍｅｎｔ  Ｖｉａｌ  Ｈａｖｉｎｇ  ａ  Ｈｅａｔ−Ｓｅａｌａｂｌｅ  Ｃａｐ，  ａｎｄ  Ａｐｐａｒａｔｕｓ  ａｎｄ  Ｍｅｔｈｏｄ  ｆｏｒ  Ｆｉｌｌｉｎｇ  ｔｈｅ  Ｖｉａｌ」という名称の米国特許仮出願第１０／７６６１７２号。
【００４８】
しかしながら、隔膜の構成は、上記に限られない。さらに、実施形態によっては、隔膜は、第１の位置と第２の位置の間で移動しなくてもよく、また非圧縮の状態と、圧縮の状態の両方にならなくてもよい。
【００４９】
図３Ａおよび３Ｂにおいて、本発明を具現化する、別のコネクタアセンブリが、全体を通して参照番号２０で示されている。コネクタアセンブリ２０は、前述のコネクタアセンブリ１０と同一であり、かつ／または実質的に類似しており、したがって、同様の要素を指示するために、同様の参照番号の前に、数字「３」が先行している。コネクタアセンブリ１０と比較してのコネクタアセンブリ２０の主たる相異は、コネクタアセンブリ２０は、分注ヘッド３９３の内部に部分的に封入されており、脱着可能なシール３９１を含むことである。分注ヘッド３９３は、バルブ３９２と、作動ポンプ３９５とを含んでもよい。例示的なそのようなバルブと、作動ポンプは、本開示の一部として、特に引用して援用する、以下の特許および特許出願に開示されている：２００４年９月２７日付け出願の「Ｌａｔｅｒａｌｌｙ−Ａｃｔｕａｔｅｄ  Ｄｉｓｐｅｎｓｅｒ  ｗｉｔｈ  Ｏｎｅ−Ｗａｙ  Ｖａｌｖｅ  ｆｏｒ  Ｓｔｏｒｉｎｇ  ａｎｄ  Ｄｉｓｐｅｎｓｉｎｇ  Ｍｅｔｅｒｅｄ  Ａｍｏｕｎｔｓ  ｏｆ  Ｓｕｂｓｔａｎｃｅｓ」という名称の米国特許予備出願第６０／６１３５８３号、および２００５年７月１５日付け出願の「Ｌａｔｅｒａｌｌｙ−Ａｃｔｕａｔｅｄ  Ｄｉｓｐｅｎｓｅｒ  ｗｉｔｈ  Ｏｎｅ−Ｗａｙ  Ｖａｌｖｅ  ｆｏｒ  Ｓｔｏｒｉｎｇ  ａｎｄ  Ｄｉｓｐｅｎｓｉｎｇ  Ｍｅｔｅｒｅｄ  Ａｍｏｕｎｔｓ  ｏｆ  Ｓｕｂｓｔａｎｃｅｓ」という名称の米国特許仮出願第６０／６９９６０７号の優先権を主張する、現在は、２０１０年２月２３日発行の米国特許第７６６５９２３号である、２００５年７月２７日付け出願の「Ｌａｔｅｒａｌｌｙ−Ａｃｔｕａｔｅｄ  Ｄｉｓｐｅｎｓｅｒ  ｗｉｔｈ  Ｏｎｅ−Ｗａｙ  Ｖａｌｖｅ  ｆｏｒ  Ｓｔｏｒｉｎｇ  ａｎｄ  Ｄｉｓｐｅｎｓｉｎｇ  Ｍｅｔｅｒｅｄ  Ａｍｏｕｎｔｓ  ｏｆ  Ｓｕｂｓｔａｎｃｅｓ」という名称の米国特許出願第１１／２３７５９９号。
【００５０】
実施形態によっては、バルブ３９２は、（軸方向に延び得る）バルブシートと、バルブシート上に位置する（可撓性であり得、かつ／または軸方向に延び得る）バルブカバーであって、通常は閉止状態の、バルブカバーとバルブシートの間の流体密のシールを形成する（軸方向に延び得る）継ぎ目を画定するバルブカバーと、を含む（分注ヘッドの外部部分を形成することのできる）一方向バルブを備え、この場合に、バルブカバーは、バルブシートに対して移動可能であって、継ぎ目は、出口孔と流体連通して接続可能であり、物質が、継ぎ目を通過して、分注器から外へ通過することを可能にする。
【００５１】
実施形態によっては、作動ポンプ３９５は、手動係合可能なアクチュエータ３９７の外部側の、手動係合可能な表面３９９を有し、（分注ヘッドの内部、および／または一方向バルブと流体連通した）圧縮チャンバに対して、第１と第２の位置の間で移動可能なピストンを画定するか、ピストンとして機能して、そのような圧縮チャンバ内部の物質を加圧する、下面をさらに有する、手動係合可能なアクチュエータ３９７を備える。実施形態によっては、（ｉ）第２の位置から第１の位置に向かう方向に移動中、可変体積貯蔵チャンバは、可変体積貯蔵チャンバから圧縮チャンバ中へと物質が流れるのを可能にするために、圧縮チャンバと流体連通しており、（ｉｉ）第１の位置から第２の位置に向かう方向における移動中に、（ａ）圧縮チャンバは、可変体積貯蔵チャンバと流体連通は無く、（ｂ）圧縮チャンバ内部の物質は、一方向バルブ開口圧力を超えて加圧されて、通常は閉止状態の継ぎ目を通して、分注器から外に分注される。
【００５２】
コネクタアセンブリ２０の実施形態に関して、図３Ａおよび３Ｂに示すように、使用前に、脱着可能シール３９１は、コネクタアセンブリの第２の部品３１２の位置調整カップ３６６の開放端を覆って、シールして、第２の部品の開口と、穿孔部材（図示せず）とをその中にシールしている。この実施形態において、第１の部品は、分注ヘッド３９３の一部に部分的に封入されて、それを形成している。第２の部品３１２内部の穿孔部材は、それによって、使用前に無菌状態に維持される。コネクタアセンブリをコンテナのチャンバの開口に取り付ける前に、シール３９１は、位置調整カップ３６６の近位端から取り外すか、または剥がされる。例証的実施形態において、シールは薄膜シールである。しかしながら、当業者によれば、本明細書における教示に基づいて認識されるように、脱着可能なシールは、例えば、脱着可能ライナ、または脱着可能キャップのような、現在知られている、または後に知られることになる、多数の異なるシーリング機構の任意の形態をとることができる。一実施形態において、シール３９１は、チャンバ内部に収納された材料中への酸素浸透を防止するために、チャンバ４０内に収納されたクリームのような、特に、酸素敏感材料のための、バリヤ特性を有する、熱シール膜（ｈｅａｔ−ｓｅａｌｅｄ  ｆｉｌｍ）、例えば、薄膜またはプラスチックである。図示されていないが、図１Ａ〜１Ｃに示された、コネクタアセンブリ１０の実施形態にも、第２の部品３１２の幅広い開口を覆い、位置調整カップ３６６の開口と穿孔部材とその中にシールする、脱着可能なシ−ル３９１を含めてもよい。分注ヘッドの使用の準備ができているときに、シールは、コネクタアセンブリの位置調整カップ端から取り外される。
【００５３】
さらに、図２Ａおよび２Ｂに示すように、隔膜３８を貫通する前、かつ位置調整カップ６６を覆うシールが剥ぎ取られた直後に、第２の部品１２の摩擦嵌合スリーブ６４は、大気雰囲気に対して、ポート４４を依然としてシールして、それによって、ポートと、穿孔部材の内部の無菌性を維持する。ポート４４は、大気雰囲気に露出されていないので、ポート、穿孔部材の内部、およびそこを流れる流体は、流体が、チャンバ４０から、またはその中に分注されるときに、汚染されることがなく、かつ／または無菌に維持される。したがって、少なくともいくつかの実施形態において、穿孔部材は、物質移送の前、その間、その後において決して露出されることがない。
【００５４】
コネクタアセンブリ１０とチャンバ４０の開口との流体密の気密接続の形成を開始するために、コネクタアセンブリの位置調整カップ６６内の開口が、図２Ａおよび２Ｂに示すように、最初に、貫通可能な隔膜３８に面して設置される。位置調整カップ６６は、穿孔部材２２と貫通可能な隔膜３８の中心とを位置調整して、穿孔部材による隔膜の中心穿孔を促進する。次いで、コネクタアセンブリ１０が、図２Ｃ〜２Ｆに示すように、押圧されて、貫通可能な隔膜３８を、図２Ｄにおける第１の無圧縮の位置から、図２Ｆにおける圧縮、かつ穿孔された位置に向かって漸進的に誘導する。図２Ａから図２Ｅまでに示すように、穿孔部材尖端３０の貫通可能な隔膜３８の表面との初期接触の際、コネクタアセンブリが最初に取り付けられるとき、第１の部品１４の環状のスナップリップ６８はまだ、コンテナ開口の環状のロックリム７０を過ぎてスナップ嵌めされていない。コネクタアセンブリが押圧されるとき、摩擦嵌合スリーブは、穿孔部材を摺動して上昇させ始めて、尖端３０をさらに露出させて、隔膜の穿孔を促進し、穴あけに対する隔膜の表面の抵抗によって、第１の部品１４の環状のスナップリップ６８を、コンテナの環状のロックリム７０の端部と完全に係合させ、この場合に、第１の部品１４の環状のスナップリップ６８は、環状のロックリム７０の端部への当接から、図２Ｆに示すように、環状のロックリム７０のフランジ部分中へのスナップ嵌めへと移動する。穿孔部材尖端３０は、隔膜３８を完全に貫通して、ポート４４は、図２Ｅに示すように、摩擦嵌合スリーブ６４から出始める。穿孔部材が隔膜を貫通するにつれて、ポート４４が、隔膜を通過するまで露出されないままである間に、隔膜と穿孔部材との接触（摩擦またはその他）によって、穿孔部材が（実際上）拭われ、穿孔部材の外部表面に存在する可能性のある、いかなる細菌およびその他の汚染物質も除去される（または少なくとも大幅に減少する）。コネクタアセンブリがさらに押圧されるときに、位置調整カップ６６の開口と隔膜３８の間の摩擦係合によって、隔膜に対するコネクタアセンブリのさらなる移動が防止される。穿孔部材２２が隔膜３８中へさらに貫通することによって、中空シャフト２８と尖端３０が、隔膜３８の偏奇力に逆らって位置調整カップ６６に対してさらに移動し、ひいては、図２Ｆに示すように、チャンバ内部でポート４４を移動させて、完全に開口させる。この位置において、穿孔部材２２は、チャンバ４０と流体連通しており、物質が、ポート４４を通りチャンバ４０から流出、またはそれに流入することを可能にする。
【００５５】
少なくともいくつかの実施形態において、環状のロックリム７０が一旦、完全に定位置にスナップ止めされると、コネクタアセンブリは再使用することができない。コネクタアセンブリの環状のスナップリップ６８と、コンテナの環状のロックリム７０の間のロックによって、穿孔部材２２が移動して戻るのが防止される。したがって、一旦、コネクタアセンブリ１０が、図２Ｆに示すように、定位置にスナップ止めされて、ロックされると、ロック解除することはできない。実施形態によっては、コネクタアセンブリは、チャンバが空になるまで、充填されたチャンバ４０からの物質の複数回の無汚染（ｉｎｔａｃｔ）での移送を可能にする。チャンバ４０が空にされた後に、コネクタアセンブリ１０と共に、コンテナが廃棄される。言い換えると、コネクタアセンブリは、使い捨て用に構成されており、再使用されることがなく、それが取り付けられているコンテナと共に処分することだけが可能である。これによって、再使用可能な従来技術コネクタに一般的であった交叉汚染が防止される。
【００５６】
コネクタアセンブリは、クリーム／液体分注、点眼器、皮膚科学分注器、および無菌状態を維持するためにその中に保存剤を追加する必要のない、その他の物質移送を含む、様々な応用に使用することができる。コネクタアセンブリは、無汚染の閉止コンテナ中に防腐処理なしの液体を充填するのにも使用することもできる。コネクタアセンブリは、さらに、無汚染分注システムと無汚染コンテナの間のインターフェイスとして使用してもよい。すべての応用において、コネクタアセンブリとチャンバの開口の両方が、フィルムによってシールされて、保存寿命中にそれらを汚染から保護する。これによって、病院のような、厳しい環境、および無殺菌の解放環境における、上記のコネクタアセンブリの使用が可能になる。
【００５７】
図４Ａ〜１４Ｅは、それぞれが１つ以上のコネクタアセンブリを含む、追加の実施形態を示す。これらのコネクタアセンブリは、上述のコネクタアセンブリ１０および／または２０と同様、かつ／または実質的に類似しており、したがって、数字「４」から「１４」が先行する同様の参照番号が（すなわち、含まれている文字添え字に関係なく）、同様要素を指示するのに使用されている。
【００５８】
図４Ａ、４Ｂは、それぞれ、２つの流体および／またはその他物質移送システム（および／またはアセンブリ）４００Ａ、４００Ｂの斜視断面図である。２つの移送システム４００Ａ、４００Ｂは、それぞれ、両端を有する導管４９６Ａ、４９６Ｂを含む。各移送システムは、２つのコネクタアセンブリをさらに含む。移送システム４００Ａは、そうである必要はないが、互いに同一であってもよい、コネクタアセンブリ４１０Ａ、４１０Ａを含む。コネクタアセンブリ４１０Ａ、４１０Ａのそれぞれは、導管４９６Ａの両端のそれぞれの一方に取り付けられている。同様に、移送システム４００Ｂは、そうである必要はないが、互いに同一であってもよい、コネクタアセンブリ４１０Ｂ、４１０Ｂを含み、コネクタアセンブリ４１０Ｂ、４１０Ｂのそれぞれは、導管４９６Ｂの両端のそれぞれの一方に取り付けられる。３つのコネクタアセンブリが、類似の状態で示されている。コネクタアセンブリの１つ、すなわち、図４Ｂにおける導管の下端に取り付けられて示されているコネクタアセンブリ、穿孔部材４２２Ｂは、第２の部品４１２内部に封入されている。これによって、穿孔部材の尖端およびポートが汚染から保護される。導管は、互いに間隔を空けられていてもよい、２つのチャンバ（図示せず）間の流体および／またはその他物質移送を可能にする。少なくともいくつかの実施形態において、チャンバの一方または両方が、チャンバ４０および／またはその他のタイプのチャンバと類似であり、かつ／またはそれと類似していてもよい。各チャンバは、貫通可能な隔膜を有して、各コネクタアセンブリの穿孔部材が、隔膜を穿孔して、それぞれのチャンバとの流体密の気密シールを形成してもよい。
【００５９】
図５Ａ、５Ｃは、２つの流体および／またはその他物質移送システム（および／またはアセンブリ）の斜視図であり、図５Ｂ、５Ｄは、２つの移送システムの対応する斜視断面図である。各移送システムは、導管に取り付けられた、コネクタアセンブリを含む。図５Ａおよび５Ｂにおいて、コネクタアセンブリ５１０Ａは、導管の一端に取り付けられており、これに対して、自己シールバルブコネクタ５９８Ａが、その他端に取り付けられている。同様に、図５Ｃおよび５Ｄにおいて、コネクタアセンブリ５１０Ｂは、導管の一端に取り付けられており、これに対して、自己閉止バルブ５９８Ｂは、その他端に取り付けられている。
【００６０】
図６Ａは、流体および／またはその他物質移送システム（および／またはアセンブリ）の斜視図であり、図６Ｂは、導管に取り付けられたコネクタアセンブリ６１０Ａを含む、移送システムの対応する斜視断面図であるのに対して、図６Ｃ、６Ｄは、導管に取り付けられたコネクタアセンブリ６１０Ｂを含む、さらなる別の流体および／またはその他物質移送システム（および／またはアセンブリ）の斜視部分断面図である。図６Ａおよび６Ｂにおいて、コネクタアセンブリ６１０Ａは、導管の一端に取り付けられており、別のタイプの自己シールバルブコネクタ６９８Ａがそれの他端に取り付けられている。図６Ｃは、導管の一端に取り付けられたコネクタアセンブリ６１０Ｂと、導管の他端に取り付けられた雄コネクタ６９８Ｂとを示しているのに対して、図６Ｄは、導管の一端に取り付けられたコネクタアセンブリ６１０Ｂと、導管の他端に取り付けられた雌コネクタ６９８Ｃとを示す。例示的なそのようなコネクタが、本開示の一部として、それぞれを、特に引用して援用する、以下の同時係属の特許出願において開示されている：２０１２年５月１日付け出願の類似の名称の米国特許仮出願第６１／６４１２４８号および２０１３年３月１５日付け出願の米国特許仮出願第６１／７９４２５５号の利益を主張する、２０１４年１１月７日付け出願の「Ｄｅｖｉｃｅ  ｆｏｒ  Ｃｏｎｎｅｃｔｉｎｇ  ｏｒ  Ｆｉｌｌｉｎｇ  ａｎｄ  Ｍｅｔｈｏｄ」という名称の米国特許出願第１４／５３６５６６号。
【００６１】
図７Ａは、導管と、導管の一端に取り付けられたコネクタアセンブリ７１０と、導管の他端に取り付けられた別のデバイスとを含む、流体および／またはその他物質移送システム（および／またはアセンブリ）の斜視図であり、ポーチ（または別のタイプのコンテナ）７９４と共に示されている（このポーチ７９４は１つ以上のチャンバ７４０を含むことがあり、これらのチャンバ７４０の１つ以上にコネクタアセンブリ導管が取り付けられる）。これに対して図７Ｂは、図７Ａに示す、コネクタアセンブリ７１０および導体を含む、移送システムの斜視断面図である。例示的なそのようなポーチは、本開示の一部として、特に引用して援用する、以下の同時係属の特許出願において開示されている：本願と同日付で出願され、代理人整理番号第１００８１１．０００５３号に関連付けられる「Ｐｏｕｃｈ  ｗｉｔｈ  Ｈｅａｔ−Ｓｅａｌｅｄ  Ｅｘｔｅｒｎａｌ  Ｆｉｔｍｅｎｔ」という名称の米国特許仮出願。コネクタアセンブリは、ポーチのポート７４０と共に、流体密の気密シールを形成して、そこを通過する流体流を可能にする。
【００６２】
図８Ａは、（分注しようとする流体および／またはその他の物質を含んでもよい）搾り出し可能なチューブ（またはその他のタイプのコンテナ）８９４に取り付けられて、流体密の気密シールを形成する、分注ヘッド８９３内部に部分的に封入されたコネクタアセンブリ２０（図３Ａ、３Ｂ）を含む、組み立て状態および部分的に組み立て状態の、アセンブリの斜視図を示し、これに対して、図８Ｂは、図８Ａの実施形態の斜視断面図である。分注ヘッド８９３は、図３Ａおよび３Ｂについて上記で説明した、分注ヘッド３９３に実質的に類似している。穿孔部材を外部に露出させることなく、分注ヘッド８９３をチューブ８９４に容易に取り付けることによって、病院内および／またはその他の厳しい（潜在的に厳しい）環境における、患者による安全な組み付けが可能になる。
【００６３】
図９Ａは、（流体および／または分注しようとする、その他の物質を含んでもよい）搾り出し可能なチューブ９９４に取り付けられる、シールされた分注ヘッド９９３を有するコネクタアセンブリ９０の実施形態の斜視図であり、これに対して、図９Ｂは、シールされたチューブ９９４の斜視図であり、図９Ｃは、シールされた分注ヘッド９９３およびシールされたチューブ９９４を収納する、輸送キット９９８を示す斜視図である。分注ヘッド９９３は、図３Ａに示される分注ヘッド３９３に実質的に類似している。この実施形態において、チューブ９９４も、脱着可能なシール９９１によってシールされているのが示されており、脱着可能なシールは、図３Ａについて上述した脱着可能なシール３９１に実質的に類似している。シールされた分注ヘッドとシールされたチューブの両方を、輸送を容易にするために、図９Ｃに示すように、キットとして一緒に梱包してもよい。脱着可能なシールは、汚染物質および大気との接触を防止して、それによって保存寿命を向上させる、完全なバリヤとして作用させることができる。
【００６４】
図１０Ａは、そのシール９９１が剥がされる途中である、図９Ａに示した分注ヘッド９９３を備えるコネクタアセンブリ９０の斜視図であり、これに対して図１０Ｂは、そのシール９９１が剥がされている、図９Ｂのチューブ９９４の斜視図であり、図１０Ｃは、図１０Ｂのチューブ９９４に取り付けられた図１０Ａの分注ヘッド９９３を示す斜視図である。ユーザが図９Ｃに示すキット９９８を開いた後に、ユーザは、分注ヘッド上と、搾り出し可能なチューブ上の脱着可能なシール９９１を剥がして、図２Ａ〜２Ｆに関して説明したステップと類似のステップに従って、分注ヘッドをチューブに接続して、分注ヘッドとチューブの開口の間の流体密の気密接続を形成してもよい。
【００６５】
図１１は、搾り出し可能なチューブ、および／またはその他のタイプのコンテナ（またはその他のタイプのデバイス）に取り付けてもよい、分注ヘッドのその他の実施形態の斜視図を示す。実施形態によっては、分注ヘッド１１９３Ａは、表面アプリケータとして構成して、図１２Ａに示すチューブに接続してもよく、分注ヘッド１１９３Ｂは、より大きいアプリケーションチューブ用に構成して、図１２Ｂに示すチューブに接続してもよく、分注ヘッド１１９３Ｄはスポット処置用に構成して、図１２Ｃに示すチューブに接続してもよい。
【００６６】
図１３は、導体、導体の一端に取り付けられたコネクタアセンブリ１３１０を含み、代替コネクタ１３９８が導管の他端に取り付けられている、流体および／またはその他物質移送システム（および／またはアセンブリ）の斜視図である。例示的なそのような代替コネクタが、それぞれを本開示の一部として、特に引用して援用する、以下の共係中の特許出願において開示されている：２０１２年５月１日付け出願の類似の名称の米国特許仮出願第６１／６４１２４８号および２０１３年３月１５日付け出願の類似の名称の米国特許仮出願第６１／７９４２５５号の利益を主張する、２０１３年５月１日付け出願の「Ｄｅｖｉｃｅ  ｆｏｒ  Ｃｏｎｎｅｃｔｉｎｇ  ｏｒ  Ｆｉｌｌｉｎｇ  ａｎｄ  Ｍｅｔｈｏｄ」という名称の米国特許出願第１３／８７４８３９号、ならびに、類似の名称の２０１２年５月１日付け出願の米国特許仮出願第６１／６４１２４８号および２０１３年３月１５日付け出願の同第６１／７９４２５５号の利益を主張する、２０１４年１１月７日付け出願の「Ｄｅｖｉｃｅ  ｆｏｒ  Ｃｏｎｎｅｃｔｉｎｇ  ｏｒ  Ｆｉｌｌｉｎｇ  ａｎｄ  Ｍｅｔｈｏｄ」という名称の米国特許出願第１４／５３６５６６号。
【００６７】
図１４Ａ、１４Ｃ、１４Ｄおよび１４Ｅは、分注ヘッド１４９３の実施形態と、およびそれに接続するのに使用してもよい、搾り出し可能なチューブの実施形態の追加の斜視図を示し、これに対して図１４Ｂは、搾り出し可能なチューブの一実施形態の斜視断面図である。図１４Ｂは、少なくともいくつかの実施形態において、隔膜１４３８が受け入れられる、溝１４９６を示す。
【００６８】
少なくともいくつかの実施形態において、本明細書において開示された１つ以上の実施形態の１つ以上の部分は、方法、装置、コネクタ、カプラー、導管、輸送デバイス、分注器、アセンブリ、キット、システムおよび／またはそれらの組合せとして具現化してもよい。
【００６９】
本明細書において開示された特徴は、いかなる組合せまたは構成においても使用することが可能であり、本明細書において特に指定されるか例証された、特定の組合せまたは構成に限定されるものではないことを理解されたい。したがって、実施形態によっては、本明細書において開示された特徴の１つ以上は、本明細書において開示された、１つ以上の他の特徴を伴わずに使用してもよい。実施形態によっては、本明細書において開示した特徴のそれぞれは、本明細書において開示したその他の特徴のいずれか１つ以上を伴うことなく使用してもよい。実施形態によっては、本明細書において開示した１つ以上の特徴は、（本明細書において）前記特徴の１つ以上と独立して開示した、１つ以上の他の特徴と組み合わせて使用してもよい。実施形態によっては、（本明細書において）開示した特徴のそれぞれは、本明細書において開示したいずれか１つ以上のその他の特徴と組み合わせて使用してもよい。
【００７０】
特に断らない限りは、ロック機構は、互いに係合する２つのリップに限定されるものではない。実施形態によっては、ロック機構は、任意のタイプのキャッチ、および／または解放および／またはその他の相対的移動を防止する干渉を画定する、（協働するか、または別様の）その他の構造を備えてもよい。
【００７１】
特に断らない限りは、例えば、「部品」および「部材」のような用語は、それぞれ、単一の一体部分であるか、または複数部分のアセンブリであってもよい。
【００７２】
特に断らない限りは、例えば、「備える（ｃｏｍｐｒｉｓｅ）」、「有する（ｈａｓ）」、「含む（ｉｎｃｌｕｄｅ）」などの用語、およびそれらのすべての形態は、追加の要素および／または特徴を排除しないように、オープンエンドであるとみなされる。
【００７３】
また、特に断らない限りは、例えば、「ａ」および「ｏｎｅ」のような用語はオープンエンドとみなされ、それぞれ「１つだけ（ｏｎｌｙ  ａ）」および「１つだけ（ｏｎｌｙ  ｏｎｅ）」を意味するものではない。
【００７４】
また、特に断らない限りは、「第１」という語句は、それ自体では、「第２」もあることを要件とはしない。
【００７５】
また、特に断らない限りは、例えば、「〜に応答して」および「〜に基づいて」のような用語は、２つの以上の物事に応答すること、および／または基づくことを排除しないように、それぞれ、「少なくとも〜に応答して」および「少なくとも〜に基づいて」を意味するものである。
【００７６】
また、特に断らない限りは、「Ａおよび／またはＢ」という語句は、以下の組合せを意味する：（ｉ）ＡであるがＢではない、（ｉｉ）ＢではあるがＡではない、および（ｉｉｉ）ＡおよびＢである。「および／または（ａｎｄ／ｏｒ）」の用語を含む任意の語句の意味は、上記に基づいて特定することができることを認識すべきである。例えば、「Ａ、Ｂおよび／またはＣ」の語句は、次の組合せを意味する：（ｉ）ＡであるがＢではなく、Ｃでもない、（ｉｉ）ＢではあるがＡではなく、Ｃでもない、（ｉｉｉ）Ｃではあるが、Ａでもなく、Ｂでもない、（ｉｖ）ＡおよびＢであるが、Ｃではない、（ｖ）ＡおよびＣではあるが、Ｂではない、（ｖｉ）ＢおよびＣではあるが、Ａではない、および（ｖｉｉ）ＡおよびＢおよびＣである。「および／または」を使用するさらに別の組合せは、同様に解釈されるものとする。
【００７７】
当業者によれば、本明細書における教示に基づいて認識されるように、本発明の上述の実施形態およびその他の実施形態には、特許請求の範囲に定義されているような、本発明の範囲から逸脱することなく、多数の変更および変形を行うことができる。例えば、コネクタアセンブリの構成要素は、そのような構成要素それぞれの機能を実行するための、現在知られている、または後に知られることになる、多数の異なる材料の任意のもので製作してもよい。同様に、コネクタアセンブリの構成要素は、多数の異なる形状および／または構成の任意のものとしてもよい。加えて、コネクタアセンブリは、例えば、薬剤、医薬品、ワクチン、液体栄養品、サプリメント、および、現在知られている、または後に知られることになる、多数の他の製品を含む、多数の異なる応用の任意のもののための、任意の多数の異なるタイプの流体またはその他の物質を注入するのに使用してもよい。加えて、コネクタアセンブリの特徴は、例えば、貫通可能な隔膜および／または穿孔部材の形状および／または構成を含み、多数の異なる応用および／または分注しようとする製品の任意のものの要件に合致するように、調節することができる。したがって、現時点で好ましい実施形態の詳細な説明は、限定の意味とは反対に、例証として解釈すべきである。
【図１Ａ】
2019502483.tif 000003
【図１Ｂ】
2019502483.tif 000004
【図１Ｃ】
2019502483.tif 000005
【図２Ａ】
2019502483.tif 000006
【図２Ｂ】
2019502483.tif 000007
【図２Ｃ】
2019502483.tif 000008
【図２Ｄ】
2019502483.tif 000009
【図２Ｅ】
2019502483.tif 000010
【図２Ｆ】
2019502483.tif 000011
【図３Ａ】
2019502483.tif 000012
【図３Ｂ】
2019502483.tif 000013
【図４Ａ】
2019502483.tif 000014
【図４Ｂ】
2019502483.tif 000015
【図５Ａ】
2019502483.tif 000016
【図５Ｂ】
2019502483.tif 000017
【図５Ｃ】
2019502483.tif 000018
【図５Ｄ】
2019502483.tif 000019
【図６Ａ】
2019502483.tif 000020
【図６Ｂ】
2019502483.tif 000021
【図６Ｃ】
2019502483.tif 000022
【図６Ｄ】
2019502483.tif 000023
【図７Ａ】
2019502483.tif 000024
【図７Ｂ】
2019502483.tif 000025
【図８Ａ】
2019502483.tif 000026
【図８Ｂ】
2019502483.tif 000027
【図９Ａ】
2019502483.tif 000028
【図９Ｂ】
2019502483.tif 000029
【図９Ｃ】
2019502483.tif 000030
【図１０Ａ】
2019502483.tif 000031
【図１０Ｂ】
2019502483.tif 000032
【図１０Ｃ】
2019502483.tif 000033
【図１１】
2019502483.tif 000034
【図１２Ａ】
2019502483.tif 000035
【図１２Ｂ】
2019502483.tif 000036
【図１２Ｃ】
2019502483.tif 000037
【図１３】
2019502483.tif 000038
【図１４Ａ】
2019502483.tif 000039
【図１４Ｂ】
2019502483.tif 000040
【図１４Ｃ】
2019502483.tif 000041
【図１４Ｄ】
2019502483.tif 000042
【図１４Ｅ】
2019502483.tif 000043
【国際調査報告】
2019502483.tif 000044
2019502483.tif 000045
2019502483.tif 000046